(57)【特許請求の範囲】
【請求項１】
角形の箱体に、その前後面で開口する引出し収納空間を形成し、その引出し収納空間内に収納された引出し体を上記開口から外部に向けて移動自在に支持し、この引出し体を引出し収納空間内に完全に収納した状態で位置決めする位置決め手段を設け、その位置決め手段が異極の永久磁石から成り、一方の永久磁石がリング状とされ、他方の永久磁石がピン状とされ、そのピン状永久磁石の外径がリング状永久磁石の内径と略同径とされた収納具。
【請求項２】
前記引出し収納空間を箱体の一側面で開口し、その開口から外部に向けて移動自在に支持されたスライド枠で前記引出し体を支持し、このスライド枠を引出し収納空間内に完全に収納した状態で位置決めする第２の位置決め手段を設け、その第２の位置決め手段が永久磁石を用いた磁力結合手段から成る請求項１に記載の収納具。
【請求項３】
前記箱体の他側面に、引出し体と共にスライド枠を外部に引出し可能とする開口を設けた請求項２に記載の収納具。
【発明の詳細な説明】
【０００１】
【発明の属する技術分野】
この発明は、箱体内に収納された引出し体を、箱体の少なくとも前後方向に引き出すことができるようにした収納具に関するものである。
【０００２】
【従来の技術】
病室内に置かれるサイドキャビネットや、事務所内に置かれる事務用キャビネット等の引出し体を有する収納具には、上記引出し体を箱体の前後２方向、前後および一側の３方向、あるいは前後両側の４方向に引き出せるようにしたものが従来から知られている。
【０００３】
上記のように、引出し体を箱体の少なくとも前後２方向に引き出せるようにした収納具においては、設置に制約を受けることが比較的少なく、使い勝手に優れているという特徴を有する。
【０００４】
【発明が解決しようとする課題】
ところで、引出し体を少なくとも前後２方向に引き出せるようにした収納具においては、引出し体を引出し収納空間内において位置決めする位置決め手段を有していないため、外部に引き出された引出し体を引出し収納空間内に収納する際、押し込み過ぎたり、押し込みが不足したりする場合があり、引出し体を体裁よく収納することができない不都合があった。
【０００５】
また、引出し体を３方向および４方向に引出し可能とした収納具においては、その引出し体をスライド枠で移動自在に支持し、このスライド枠を引出し体の移動方向と直交する方向に移動自在に支持し、上記スライド枠の移動によって引出し体を箱体の側方に引き出せるようにしているが、前記のように、引出し体の収納が不完全であると、スライド枠の移動による引出し体の外部への引き出し時、引出し体が開口の両側の支柱に当接して外部に引き出すことができない。この場合、引出し体の収納のやり直しを行なう必要があるため、操作性が悪く、その操作性を向上させるうえにおいて改善すべき点が残されている。
【０００６】
この発明の課題は、引出し体を少なくとも箱体の前後方向に引き出せるようにした収納具において、引出し体を引出し収納空間内の定位置まで正確に戻せるようにして、体裁のよい収納状態が得られるようにすること、および操作性の向上を図ることができるようにすることである。
【０００７】
【課題を解決するための手段】
上記の課題を解決するために、この発明においては、角形の箱体に、その前後面で開口する引出し収納空間を形成し、その引出し収納空間内に収納された引出し体を上記開口から外部に向けて移動自在に支持し、この引出し体を引出し収納空間内に完全に収納した状態で位置決めする位置決め手段を設けた構成を採用している。
【０００８】
ここで、位置決め手段として、引出し体の下面と、その引出し体を受ける受け部材の対向面における一方に半球形の突起を形成し、他方に凹部を形成してもよく、あるいは、引出し体の下面と上記受け部材の対向面に異極の永久磁石を取付け、その永久磁石を磁力結合させるようにしたものを採用することができる。
【０００９】
異極の永久磁石を用いた場合、永久磁石のそれぞれを円形とすることにより、異極の永久磁石の磁力結合時、異極の永久磁石は同軸上に配置されるため、引出し体をきわめて高精度に位置決めすることができる。
【００１０】
上記のように構成すると、引出し収納空間内に引出し体を押し込むことにより、位置決め手段によって引出し体が位置決めされるため、体裁のよい収納状態を得ることができる。
【００１１】
ここで、前記引出し収納空間を箱体の一側面で開口し、その開口から外部に向けて移動自在に支持されたスライド枠で前記引出し体を支持し、このスライド枠を引出し収納空間内に完全に収納した状態で位置決めする第２の位置決め手段を設けると、引出し体を箱体の前後および一側の３方向に引き出すことができると共に、スライド枠を外部に引き出す際に引出し体が引出し収納空間の開口両側の柱に当接するという不都合がなく、操作性に優れた収納具を得ることができる。
【００１２】
また、前記箱体の他側面に、引出し体と共にスライド枠を外部に引出し可能とする開口を設けると、引出し体を箱体の前後および両側の４方向にスムーズに引き出すことができる。
【００１３】
【発明の実施の形態】
以下、この発明の実施の形態を図面に基づいて説明する。
【００１４】
図１乃至図４に示すように、角形の箱体１には複数の引出し収納空間２が上下に形成され、各引出し収納空間２は、箱体１の前後面および一側面の３面で開口している。
【００１５】
引出し収納空間２のそれぞれには、引出し支持枠３と受け部材としてのスライド枠４とが収納されている。引出し支持枠３は、引出し収納空間２の前後の開口２ａに挿入可能な一対の面パネル５の両端下部間に連結桟６を設けた構成とされ、上記面パネル５に形成された引手部５ａに指先をかけて引くことにより、上記引出し収納空間２の前後の開口２ａのそれぞれから外部に引出すことができるようになっている。
【００１６】
一方、スライド枠４は、スライド板７の一側縁に引出し収納空間２の側部開口２ｂに収納可能な面パネル８を設けた構成とされ、上記スライド板７の前後部が引出し収納空間２の底板９の前後部に形成された段部１０によってスライド自在に支持されている。このため、面パネル８に形成された引手部８ａに指先をかけて引くことにより、上記段部１０に沿ってスライド枠４を外部に引き出すことができる。
【００１７】
引出し支持枠３の一対の面パネル５間には引出し体１１が収納されている。
引出し体１１は、前後にガイド突条１２を有する。このガイド突条１２は引出し体１１の両側方向に長く延び、各ガイド突条１２が引出し支持枠３の面パネル５の内面に形成された第１レール１３に沿ってスライド自在に支持されている。
【００１８】
また、引出し体１１の下面両側部には、前後方向に長く延びる一対の突出部１４が設けられ、各突出部１４がスライド枠４のスライド板７上に設けられた第２レール１５のガイド溝１５ａに嵌り、そのガイド溝１５ａに沿ってスライド自在に支持されている。
【００１９】
第２レール１５と引出し体１１の対向面間には、その引出し体１１を引出し収納空間２内に完全に収納した状態において、引出し体１１を位置決めする位置決め手段２０が設けられている。位置決め手段２０は、第２レール１５のガイド溝１５ａにおける底面に複数の凹部２１を設け、一方、引出し体１１における突出部１４の下面に複数の半球形突部２２を形成し、その突部２２と凹部２１の係合によって引出し体１１を収納位置で位置決めしている。
【００２０】
いま、引出し支持枠３の一方の面パネル５に形成された引手部５ａに指先を掛けて引くと、その引出し支持枠３と共に引出し体１１が外部に引き出される。
【００２１】
このとき、引出し体１１は第２レール１５のガイド溝１５ａに沿って引き出されると共に、突部２２と凹部２１の係合が解除され、突部２２はガイド溝１５ａの底面をこすり乍ら移動する。
【００２２】
図３に示すように、突部２２が凹部２１と対向する位置まで引出し体１１が引き出されると、その突部２２が凹部２１に係合し、引出し体１１は引出し位置において仮止めされる。
【００２３】
また、引出し支持枠３を押し込むと、その引出し支持枠３と共に引出し体１１が引出し収納空間２内に向けて移動し、その引出し収納空間２内に引出し支持枠３が完全に収納されると、突部２２が凹部２１に係合し、引出し体１１は引出し収納空間２内に正確に収納された状態に位置決めされる。
【００２４】
一方、スライド枠４の面パネル８に形成された引手部８ａに指先をかけて引くと、スライド枠４は段部１０に案内されて外部に引き出される。
【００２５】
このとき、スライド枠４の第２レール１５のガイド溝１５ａに引出し体１１の下面に設けられた突出部１４が嵌合しているため、スライド枠４と共に引出し体１１が外部に引き出される。
【００２６】
上記のようなスライド枠４の引き出し時において、引出し体１１の収納が不完全であると、その引出し体１１の一側前後部が側面開口２ｂの前後の柱部１８に当接してスライド枠４を外部に引き出すことができず、引出し支持枠３を押し込み、あるいは引き出して、引出し体１１が完全に収納する収納作業のやり直しを行なう必要が生じる。
【００２７】
しかし、引出し支持枠３を押し込んで引出し体１１を引出し収納空間２内に収納したとき、凹部２１と突部２２の係合によって引出し体１１は完全な収納状態に位置決めされるため、スライド枠４を外部に引き出すとき、引出し体１１の一側前後部が柱部１８に当接するという不都合の発生はなく、引出し体１１を外部にスムースに引き出すことができる。
【００２８】
このため、引出し支持枠３を押し引きする引出し体１１の収納作業のやり直しを必要とせず、操作性の向上を図ることができる。
【００２９】
なお、スライド枠４を押し込み、スライド板７の後端を引出し収納空間２の背板１９に当接する位置までスライド枠４を押し込むと、引出し体１１は引出し収納空間２内に完全に収納される。このため、引出し支持枠３を外部に引き出すとき、引出し体１１の前後面の両側が前面開口２ａの前後の柱部１８に当接するという不都合の発生はなく、引出し体１１を引出し支持枠３と共に外部にスムースに引き出すことができる。
【００３０】
図７乃至図１０は、この発明に係る収納具の他の実施の形態を示す。この実施の形態における収納具においては、図１乃至図４において述べた収納具の引出し支持枠３を省略し、引出し体１１の下面両側に設けた突条１４ａをスライド枠４におけるスライド板７の上面両側に形成されたガイド溝１５ａに挿入して引出し体１１を移動自在に支持している。
【００３１】
また、スライド枠４におけるスライド板７の下面前後に両側方向に長く延びる突条３０を設け、この突条３０を引出し収納空間２の底板９前後部に形成された両側方向に長いガイド溝３１に挿入してスライド枠４を移動自在に支持している。
【００３２】
さらに、引出し体１１を位置決めする位置手段２０として、異極の永久磁石２３ａ、２３ｂを用い、一方の永久磁石２３ａを引出し体１１の下面に埋設し、他方の永久磁石２３ｂをスライド枠４のスライド板７の上面に埋設している。
【００３３】
また、スライド枠４を引出し収納空間２内において位置決めするため、その引出し体１１と箱体１との間に第２の位置決め手段４０を設けている。第２の位置決め手段４０は、スライド枠４の他側に位置決め板４１を設け、この位置決め板４１を箱体１の背板１９の内面に設けた突出部４２に当接してスライド枠４を位置決めすると共に、位置決め板４１に埋設した永久磁石４３と突出部４２に埋設した金属片４４の磁力結合によって位置決め状態に保持している。
【００３４】
上記実施形態においても、引出し収納空間２内に引出し体１１を押し込むことにより、その引出し体１１は異極の永久磁石２３ａ、２３ｂの磁力結合によって位置決めされるため、スライド枠４を外部に引く操作時に引出し体１１が柱部１８に当接するという不都合の発生はなく、引出し体１１を外部にスムーズに引き出すことができる。
【００３５】
ここで、異極の永久磁石２３ａ、２３ｂとして、図１１（Ｉ）に示すように、永久磁石２３ａ、２３ｂそのそれぞれを同径の円形とし、あるいは図１１（II）に示すように、一方の永久磁石２３ａをリング状とし、他方の永久磁石２３ｂを外径がそのリング状永久磁石２３ａの内径と略同径のピン状とすることにより、異極の永久磁石２３ａ、２３ｂの磁力結合時、両永久磁石２３ａ、２３ｂは同軸上に保持されるため、引出し体１１をきわめて高精度に位置決めすることができる。
【００３６】
実施の形態においては、引出し体１１を箱体１の前側および両側の３方向に引き出せるようにした収納具を示したが、収納具はこれに限定されるものではない。
【００３７】
例えば、引出し収納空間２を箱体１の前後面で開口し、引出し収納空間２内に収納された引出し体１１を箱体１の前後方向にのみ引き出せるようにしたものであってもよい。この場合、図４に示す引出し支持枠３およびスライド枠４を不要とすることができ、引出し体１１の下面と引出し収納空間２の底板９の対向面間に位置決め手段２０を設けるようにする。
【００３８】
また、引出し収納空間２を箱体１の前後および両側で開口し、前後の開口から引出し体１１を引出し可能とし、両側の開口からスライド枠４を引出し可能として、引出し体１１を４方向に引き出せるようにしてもよい。
【００３９】
この場合、スライド枠４の下面と引出し収納空間２の底板９の上面間にスライド枠４を位置決めする位置決め手段を設けるようにする。
【００４０】
【発明の効果】
以上のように、この発明においては、引出し収納空間内に収納されて箱体の前後方向に引出し可能の引出し体を引出し収納空間内に押し込むことにより、引出し体は位置決め手段によって位置決めされるため、体裁のよい収納状態を得ることができる。
【００４１】
また、引出し収納空間を箱体の側面で開口し、その開口から外部に向けて移動自在に支持されたスライド枠で引出し体を移動自在に支持したことにより、引出し体を箱体の前後および一側方の３方向に引き出すことができ、設置の際に制約を受けることが少ない使い勝手に優れた収納具を得ることができると共に、引出し体およびスライド枠のそれぞれは引出し収納空間内に収納された状態で位置決めされるため、引出し体を３方向にスムーズに引き出すことができる。
【図面の簡単な説明】
【図１】この発明に係る収納具の実施の形態を示す斜視図
【図２】図１の縦断側面図
【図３】図２のIII −III 線に沿った断面図
【図４】同上の分解斜視図
【図５】図２のＶ−Ｖ線に沿った断面図
【図６】図３のVI−VI線に沿った断面図
【図７】この発明に係る収納具の他の実施の形態を示す横断面図
【図８】図７のVIII−VIII線に沿った断面図
【図９】図７のIX−IX線に沿った断面図
【図１０】同上の分解斜視図
【図１１】（Ｉ）、（II）は同上の永久磁石の例を示す分解斜視図
【符号の説明】
１  箱体
２  引出し収納空間
２ａ、２ｂ  開口
４  スライド枠
１１  引出し体
２０  位置決め手段
２１  凹部
２２  突部
２３ａ、２３ｂ  永久磁石
４０  第２の位置決め手段
４３  永久磁石
４４  金属片
【図１】
0003542729.tif 000002
【図２】
0003542729.tif 000003
【図３】
0003542729.tif 000004
【図４】
0003542729.tif 000005
【図５】
0003542729.tif 000006
【図６】
0003542729.tif 000007
【図７】
0003542729.tif 000008
【図８】
0003542729.tif 000009
【図９】
0003542729.tif 000010
【図１０】
0003542729.tif 000011
【図１１】
0003542729.tif 000012